(57)【要約】【課題】  光ピックアップがどの位置にあっても光ピックアップの発熱部を冷却する。【解決手段】  本発明の光ディスク装置は、光ディスク媒体を回転させる回転部と、光ディスク媒体に照射するレーザ光を生成するレーザ発光部を備えた光ピックアップと、気流を発生させる気流発生部と、レーザー発光部を冷却するために、発生した気流を光ピックアップに導く可撓性チューブとを備える。可撓性チューブを用いて、光ピックアップが移動しても常にレーザー発光部に集中的に気体を吹き付けることにより、レーザー発光部を効率よく空冷することが可能である。【選択図】  図４
2005339737.tif 000002
【特許請求の範囲】
【請求項１】
光ディスク媒体を回転させる回転部と、
前記光ディスク媒体に照射するレーザ光を生成するレーザ発光部を備えた光ピックアップと、
気流を発生させる気流発生部と、
前記レーザー発光部を冷却するために、前記発生した気流を前記光ピックアップに導く可撓性チューブと
を備えた、光ディスク装置。
【請求項２】
前記光ピックアップは、前記気流を前記レーザー発光部に導くための手段を有する、請求項１に記載の光ディスク装置。
【請求項３】
前記光ピックアップは、
前記可撓性チューブの一端と接続される接続部と、
前記光ピックアップ内部に形成された流路と
を備える、請求項１に記載の光ディスク装置。
【請求項４】
前記可撓性チューブの一端を前記光ピックアップ内部に設けるための手段をさらに備える、請求項１に記載の光ディスク装置。
【請求項５】
前記回転部は、
前記光ディスク媒体を載荷するためのターンテーブルと、
前記光ディスク媒体を着脱可能に保持するためのクランパと
を備え、
前記気流発生部は、
前記ターンテーブルのうちの前記光ディスク媒体と対向する面とは反対の面側に設けられた羽根部と、
前記羽根部の少なくとも一部を囲む壁部と
を備え、
前記羽根部は、前記ターンテーブルを回転させるモータの回転運動が伝達されることにより回転し、
前記壁部は、前記可撓性チューブの一端が接続された排気口を有する、請求項１に記載の光ディスク装置。
【請求項６】
前記ターンテーブルには、前記光ディスク媒体のうちの前記光ピックアップと対向する第１面とは反対の第２面側の気体を前記第１面側に移動させるための少なくとも一つの貫通孔が形成されており、
前記羽根部の回転により、前記第２面側の気体は前記第１面側に前記少なくとも一つの貫通孔を介して移動する、請求項５に記載の光ディスク装置。
【請求項７】
前記レーザー発光部に接触した放熱部材をさらに備え、
前記可撓性チューブから出力された気体は前記放熱部材に吹きつけられる、請求項１〜６に記載の光ディスク装置。
【請求項８】
前記流路に設けられた防塵フィルターをさらに備える、請求項３に記載の光ディスク装置。
【請求項９】
前記排気口および前記可撓性チューブのうちの少なくとも一方に設けられた少なくとも一つの防塵フィルターをさらに備える、請求項５に記載の光ディスク装置。
【請求項１０】
前記可撓性チューブは伸縮可能である、請求項１〜９に記載の光ディスク装置。
【請求項１１】
前記可撓性チューブは蛇腹形状を有する、請求項１０に記載の光ディスク装置。
【請求項１２】
前記可撓性チューブはゴム部材を有する、請求項１０に記載の光ディスク装置。
【発明の詳細な説明】
【技術分野】
【０００１】
本発明は、光ディスク媒体への情報の記録および光ディスク媒体からの情報の再生のうちの少なくとも一方を実行する光ディスクドライブ装置の冷却構造に関する。
【背景技術】
【０００２】
図１は、従来の光ディスク装置１００の要部を示す斜視図である（特許文献１を参照）。図２は、光ディスク装置１００の要部を示す断面図である。
【０００３】
光ディスク装置１００は、モータ回転軸２を有するモータ１と、ターンテーブル３と、円盤状の光ディスク媒体４と、光ディスク媒体４を保持するためのクランパ５と、光ピックアップ６と、レーザー光１１を発生するレーザー発光部７と、レーザー光の方向を変えるためのミラー８と、対物レンズ９と、羽根部１３と、対物レンズ９を保持する対物レンズホルダー１４と、光ピックアップ６をディスク半径方向１０に沿って移動させるためのガイド軸１５とを備える。レーザー発光部７は、例えばレーザーダイオードである。対物レンズホルダー１４は、レーザー光１１のフォーカス制御が可能なように光ピックアップ６に対して相対的に可動する。モータ回転軸２が回転方向１２の方向に回転することにより、光ディスク媒体４も回転方向１２の方向に回転する。矢印１６は空気の流れを示す。
【０００４】
レーザー発光部７から出力されたレーザー光１１は、ミラー８により方向が変えられ、対物レンズ９を通って、光ディスク媒体４の情報記録面に照射される。また、光ディスク媒体４で反射した反射光は光ピックアップ６内部の受光素子（図示せず）で受光されて、電気信号に変換される。この電気信号から光ディスク媒体４に記録された情報が読み取られる。
【０００５】
光ディスク装置１００においては、光ピックアップ６内部にレーザー発光部７が内蔵されている。レーザー発光部７は高温になると寿命が短くなるとともに性能が著しく低下するという課題がある。温度上昇によって、レーザー光１１の照射強度の低下、レンズの熱膨張による光軸の変化などの性能面での課題が発生する。このことから、レーザー発光部７が高温にならないように冷却する必要がある。レーザー発光部７を冷却するために、光ディスク装置１００のようにターンテーブル３下部に羽根部１３を設け、羽根部１３によって光ピックアップ６に送風することが提案されている。
【特許文献１】特開平１１−１１０９５９号公報
【発明の開示】
【発明が解決しようとする課題】
【０００６】
光ピックアップ６はディスク半径方向に移動する。このため、光ピックアップ６が羽根部１３から離れると、空冷効果が低下するという課題があった。さらに、レーザー発光部７が光ピックアップ６内部に位置している場合、あるいはレーザー発光部７が光ピックアップ６の外周側に位置している場合は、レーザー発光部７に空気が吹き付けられないので、レーザー発光部７を効率よく冷却することが出来なかった。
【０００７】
本発明は、光ピックアップおよびレーザー発光部がどの位置にあっても、光ピックアップに内蔵されたレーザー発光部の温度上昇を抑えることができる光ディスク装置を提供することを目的とする。
【課題を解決するための手段】
【０００８】
本発明の光ディスク装置は、光ディスク媒体を回転させる回転部と、上記光ディスク媒体に照射するレーザ光を生成するレーザ発光部を備えた光ピックアップと、気流を発生させる気流発生部と、上記レーザー発光部を冷却するために、上記発生した気流を上記光ピックアップに導く可撓性チューブとを備え、そのことにより上記目的が達成される。
【０００９】
上記光ピックアップは、上記気流を上記レーザー発光部に導くための手段を有してもよい。
【００１０】
上記光ピックアップは、上記可撓性チューブの一端と接続される接続部と、上記光ピックアップ内部に形成された流路とを備えてもよい。
【００１１】
上記可撓性チューブの一端を上記光ピックアップ内部に設けるための手段をさらに備えてもよい。
【００１２】
上記回転部は、上記光ディスク媒体を載荷するためのターンテーブルと、上記光ディスク媒体を着脱可能に保持するためのクランパとをさらに備え、上記気流発生部は、上記ターンテーブルのうちの上記光ディスク媒体と対向する面とは反対の面側に設けられた羽根部と、上記羽根部の少なくとも一部を囲む壁部とを備え、上記羽根部は、上記ターンテーブルを回転させるモータの回転運動が伝達されることにより回転し、上記壁部は、上記可撓性チューブの一端が接続された排気口を有してもよい。
【００１３】
上記ターンテーブルには、上記光ディスク媒体のうちの上記光ピックアップと対向する第１面とは反対の第２面側の気体を上記第１面側に移動させるための少なくとも一つの貫通孔が形成されており、上記羽根部の回転により、上記第２面側の気体は上記第１面側に上記少なくとも一つの貫通孔を介して移動してもよい。
【００１４】
上記レーザー発光部に接触した放熱部材をさらに備え、上記可撓性チューブから出力された気体は上記放熱部材に吹きつけられてもよい。
【００１５】
上記流路に設けられた防塵フィルターをさらに備えてもよい。
【００１６】
上記排気口および上記可撓性チューブのうちの少なくとも一方に設けられた少なくとも一つの防塵フィルターをさらに備えてもよい。
【００１７】
上記可撓性チューブは伸縮可能であってもよい。
【００１８】
上記可撓性チューブは蛇腹形状を有してもよい。
【００１９】
上記可撓性チューブはゴム部材を有してもよい。
【発明の効果】
【００２０】
本発明の光ディスク装置は、気流を発生させる気流発生部と、レーザー発光部を冷却するために、発生した気流を光ピックアップに導く可撓性チューブとを備える。気流に沿って移動する気体は、可撓性チューブを通って光ピックアップ内に集められてレーザー発光部（および／またはレーザー発光部に接触した放熱部材）に吹き付けられる。移動する気体を可撓性チューブを用いて光ピックアップ内に集中させることにより、移動する気体が光ピックアップ以外の周囲に拡散することを防止することが出来る。これにより、レーザー発光部を効率よく冷却することが出来る。さらにチューブは可撓性を有しているため、光ピックアップがディスク半径方向の如何なる位置に移動しても、その移動に応じて自由に撓んで常にレーザー発光部に送風することができる。
【発明を実施するための最良の形態】
【００２１】
以下、本発明の実施の形態を図面を参照して説明する。本発明の実施の形態の説明において、同様の構成要素には同じ参照符号を付し、詳細な説明は省略する。
【００２２】
（実施の形態１）
図３は、本発明の実施の形態１における光ディスク装置３００の要部断面図である。図４は、図３におけるＡ−Ａ線に沿った光ディスク装置３００の構成要素の断面図である。
【００２３】
光ディスク装置３００は、モータ回転軸２を有するモータ１と、ターンテーブル３と、円盤状の光ディスク媒体４と、光ディスク媒体４を保持するためのクランパ５と、光ピックアップ６と、レーザー光１１を発生するレーザー発光部７と、レーザー光１１の方向を変えるためのミラー８と、対物レンズ９と、羽根部１３と、対物レンズ９を保持する対物レンズホルダー１４と、光ピックアップ６をディスク半径方向１０に沿って移動させるためのガイド軸１５と、可撓性チューブ１７と、羽根部１３の少なくとも一部を囲む外周壁部１８とを備える。
【００２４】
ターンテーブル３は、円盤状の光ディスク媒体４を載荷する。クランパ５は、光ディスク媒体４を着脱可能に保持する。光ピックアップ６は、光ディスク媒体４に照射するレーザ光１１を生成するレーザ発光部７を内蔵し、光ディスク媒体４への情報の記録および光ディスク媒体４からの情報の再生のうちの少なくとも一方を実行する。レーザ発光部７は例えばレーザーダイオードである。対物レンズホルダー１４は、レーザー光１１のフォーカス制御が可能なように光ピックアップ６に対して相対的に可動する。光ピックアップ６は、基台、受光素子（図示せず）等をさらに備える。
【００２５】
光ピックアップ６は、光ディスク媒体４の半径方向１０に沿って移動する。レーザー発光部７から出力されたレーザー光１１は、ミラー８により方向が変えられ、対物レンズ９を通って、光ディスク媒体４の情報記録面に照射される。光ピックアップ６は、光ディスク媒体４にレーザー光１１を照射したときの反射光を電気信号に変換することにより、光ディスク媒体４に記録された情報を再生する。また、光ピックアップ６は、光ディスク媒体４にレーザー光１１を照射して光ディスク媒体４を相転移させることにより、光ディスク媒体４に情報を記録する。
【００２６】
クランパ５はターンテーブル３と同心軸となるようにターンテーブル３上に固定されている。光ディスク媒体４の回転中心部近傍には孔が形成されており、この孔にクランパ５がかん合することにより、光ディスク媒体４はターンテーブル３上に保持される。ターンテーブル３およびクランパ５は、光ディスク媒体４を保持して回転させる回転部を形成する。モータ回転軸２はモータ１と固定されている。ターンテーブル３およびクランパ５はモータ回転軸２と固着されており、モータ１の回転運動が伝達されることにより回転方向１２の方向に回転する。ターンテーブル３およびクランパ５に保持された光ディスク媒体４も、回転方向１２の方向に回転する。
【００２７】
羽根部１３は、ターンテーブル３のうちの光ディスク媒体４と対向する面とは反対の面側に設けられている。羽根部１３は、ターンテーブル３と同心軸となるように設けられている。羽根部１３は、ターンテーブル３を回転させるモータ１の回転運動が伝達されることにより回転し、気流を発生させる。羽根部１３と羽根部１３の少なくとも一部を囲む外周壁部１８とで、気流を発生させる気流発生部が形成される。外周壁部１８には排気口１９が形成されており、排気口１９に可撓性チューブ１７の一端が接続されている。可撓性チューブ１７の他端は、光ピックアップ６内のレーザー発光部７近傍に接続されている。
【００２８】
可撓性チューブ１７は、羽根部１３の回転運動により発生した気流を光ピックアップに導く。矢印１６は空気の流れを示す。気流に沿って移動する空気の略全ては、可撓性チューブを通って光ピックアップ内に集められてレーザー発光部に吹き付けられる。これにより、レーザー発光部７が空冷される。
【００２９】
本実施の形態では、可撓性チューブを用いて気流に沿って移動する空気の略全てを、光ピックアップ内に集中させることにより、移動する空気が光ピックアップ６以外の周囲に拡散することを防止することが出来る。これにより、レーザー発光部７を効率よく冷却することが出来る。さらにチューブは可撓性を有しているため、光ピックアップ６がディスク半径方向の如何なる位置に移動しても、その移動に応じて自由に撓んで常にレーザー発光部７に送風することができる。
【００３０】
本実施の形態によれば、レーザー発光部７の光ピックアップ６中での位置が風下にあってもレーザー発光部７を空冷でき、また、光ピックアップ６がディスク半径方向の如何なる位置にあっても、同じ風量を供給することができ、安定したレーザー発光部７の空冷が行える。
【００３１】
また、ターンテーブル３と羽根部１３とを同じ１個のモータ１で回転させるので、羽根部１３を回転させるために必要なコストおよびスペースを削減することができる。
【００３２】
（実施の形態２）
図５は、光ピックアップ６の改変例である光ピックアップ５０６の断面図である。光ピックアップ５０６は、可撓性チューブ１７の端部が接続される接続部２１と、気流をレーザー発光部７に導くための流路２０とを備える。
【００３３】
本実施の形態では、光ピックアップ５０６内部に空気を通すための流路２０が設けられている。可撓性チューブ１７から出力された空気は、接続部２１から流路２０を通って、レーザー発光部７に導かれる。これにより、レーザー発光部７を直接空冷することができる。さらには、レーザー発光部７により光ピックアップ５０６内部が加熱されても、流路２０を通過する空気が光ピックアップ５０６内部をも冷却することが可能となる。このため、高効率に、レーザー発光部７および光ピックアップ５０６の温度上昇を抑制することができる。なお、可撓性チューブ１７と光ピックアップ５０６とは、接着剤の使用やチューブと接続部との熱溶着等により接続され得る。
【００３４】
（実施の形態３）
図６は、光ピックアップ５０６の改変例である光ピックアップ６０６の断面図である。光ピックアップ６０６は、可撓性チューブ１７の端部を光ピックアップ６０６の内部に設けるための溝２２を備える。溝２２に挿入された可撓性チューブ１７の端部はレーザー発光部７近傍に位置している。
【００３５】
本実施の形態では、可撓性チューブ１７から出力された空気によって、レーザー発光部７を直接空冷することができる。さらには、レーザー発光部７により光ピックアップ６０６内部が加熱されても、溝２２に挿入された可撓性チューブ１７を通過する空気が光ピックアップ６０６内部をも冷却することが可能となる。このため、高効率に、レーザー発光部７および光ピックアップ６０６の温度上昇を抑制することができる。
【００３６】
なお、可撓性チューブ１７と溝２２との固定は、可撓性チューブ１７と溝２２とへの接着剤塗布等により容易に実現できる。
【００３７】
（実施の形態４）
図７は、本発明の実施の形態４における光ディスク装置７００の要部断面図である。光ディスク装置７００は、光ディスク装置３００の構成要素に加えて、排気口１９に設けられた防塵フィルター２３をさらに備える。
【００３８】
光ディスク装置７００は、クランパ５、ターンテーブル３および外周壁部１８の代わりにクランパ７０５、ターンテーブル７０３および外周壁部７１８を備える。クランパ７０５およびターンテーブル７０３のそれぞれには、少なくとも一つの貫通孔７１０が形成されている。本実施の形態では複数の貫通孔７１０が形成されている。貫通孔７１０は、光ディスク媒体４のうちの光ピックアップ６と対向する第１面とは反対の第２面側の気体を第１面側に移動させる手段として機能する。本実施の形態では、第１面は光ディスク媒体４の下面であり、第２面は光ディスク媒体４の上面である。光ディスク媒体４の回転軸が水平方向となる実施の形態では、第１面および第２面は左右の面となる。
【００３９】
外周壁部７１８は、羽根部１３のうちのモータ１と対向する側も囲んでいる。羽根部１３が回転することにより、羽根部１３近傍の空気は可撓性チューブ１７に移動する。しかし、そのままでは、羽根部１３近傍の空気圧は負圧となるため、負圧を補うために、クランパ７０５上面の空気（すなわち光ディスク媒体４の上面側の空気）が貫通孔７１０を通じて、ターンテーブル７０３下面の羽根部１３近傍に吸引される。吸引された空気は、羽根部１３により可撓性チューブ１７に移動する。
【００４０】
光ディスク装置７００の駆動中においては、光ディスク媒体４の上面側の空気は光ディスク媒体４の下面側の空気よりも温度が低い。温度が低い上面側の空気が光ピックアップ６に供給されるので、時間が経過しても安定して、光ピックアップ６およびレーザ発光部７の温度上昇を抑えることができる。
【００４１】
本実施の形態では、クランパ７０５およびターンテーブル７０３に形成された貫通孔７１０が吸気孔の機能を果たすので、光ディスク媒体４の上面側の空気を吸気するための構成要素を追加する必要がない。このため、コストおよびスペースを削減することができる。
【００４２】
また、本実施の形態によれば、排気口１９に防塵フィルター２３が設けられていることにより、空気中の埃がレーザー発光部７に吹き付けられないようにしている。これにより、レーザー発光部７への埃の付着を防止でき、定常的に安定した発光強度のレーザー光を出力し続けることができる。
【００４３】
なお、防塵フィルター２３は、可撓性チューブ１７に設けられてもよいし、流路２０（図５）に設けられてもよい。少なくとも一つの防塵フィルター２３が、排気口１９、可撓性チューブ１７、流路２０のうちの少なくとも一つに設けられ得る。
【００４４】
（実施の形態５）
図８は、光ピックアップ５０６および可撓性チューブ１７の改変例である光ピックアップ８０６および可撓性チューブ２４の断面図である。可撓性チューブ２４は伸縮可能な蛇腹形状を有する。
【００４５】
本実施の形態では、可撓性チューブ２４は光ピックアップ８０６下部に接続されている。光ピックアップ８０６には、レーザー発光部７表面に気流を導くための空気孔２５が形成されている。空気が空気孔２５を下から上に流れる際、レーザー発光部７を空冷する。
【００４６】
また、可撓性チューブ２４に伸縮性を持たせることで、光ピックアップ６が何れの位置にあっても、可撓性チューブ２４は常に最小限の長さとなる。このため、可撓性チューブ２４が周辺部品に絡まることを防止できる。
【００４７】
なお、伸縮性をもたせるために、本実施例では蛇腹形状としたが、可撓性チューブ２４がゴム部材を有することにより、可撓性チューブ２４に伸縮性を持たせてもよい。
【００４８】
本実施の形態では、光ピックアップ８０６は、レーザー発光部７に接触した放熱部材２６をさらに備える。放熱部材２６は熱伝導性の高い材料（例えば銅、アルミニウム等）を含み、レーザー発光部７の熱を外部に拡散させる。可撓性チューブ２４から出力された空気は放熱部材２６にも吹きつけられる。これにより、レーザー発光部７をより効率よく冷却することが出来る。
【産業上の利用可能性】
【００４９】
本発明の光ディスク装置は、気流を発生させる気流発生部と、前記レーザー発光部を冷却するために、発生した気流を光ピックアップに導く可撓性チューブとを備える。移動する気体を可撓性チューブを用いて光ピックアップ内に集中させることにより、レーザー発光部を効率よく冷却することが出来る。さらにチューブは可撓性を有しているため、光ピックアップがディスク半径方向の如何なる位置に移動しても、その移動に応じて自由に撓んで常にレーザー発光部に送風することができる。
【００５０】
このように、本発明は、光ピックアップを備えた光ディスク装置分野において得に有用である。
【図面の簡単な説明】
【００５１】
【図１】従来の光ディスク装置の要部を示す斜視図
【図２】従来の光ディスク装置の要部を示す断面図
【図３】本発明の実施の形態１の光ディスク装置の要部を示す断面図
【図４】本発明の実施の形態１の光ディスク装置の要部を示す断面図
【図５】本発明の実施の形態２の光ピックアップの断面図
【図６】本発明の実施の形態３の光ピックアップの断面図
【図７】本発明の実施の形態４の光ディスク装置の要部を示す断面図
【図８】本発明の実施の形態５の光ディスク装置の要部を示す断面図
【図９】本発明の実施の形態５の光ピックアップの断面図
【符号の説明】
【００５２】
１  モータ
２  モータ軸
３  ターンテーブル
４  光ディスク媒体
５  クランパ
６  光ピックアップ
７  レーザー発光部
８  ミラー
９  対物レンズ
１０  移動方向
１１  レーザー光
１２  回転方向
１３  羽根部
１４  対物レンズホルダー
１５  ガイド軸
１６  気流
１７  可撓性チューブ
１８  外周壁部
１９  排気口
２０  流路
２１  接続部
２２  溝
２３  防塵フィルター
２４  蛇腹チューブ
２５  空気孔
【図１】
2005339737.tif 000003
【図２】
2005339737.tif 000004
【図３】
2005339737.tif 000005
【図４】
2005339737.tif 000006
【図５】
2005339737.tif 000007
【図６】
2005339737.tif 000008
【図７】
2005339737.tif 000009
【図８】
2005339737.tif 000010
【図９】
2005339737.tif 000011